(57)【要約】      （修正有）【課題】第三者による鍵の目視を避けることで使用者の安全を確保するとともに、使用性を向上させて迅速な施錠・解錠動作を可能にすることによって、使用者の安全を確保できるキーホルダーを提供する。【解決手段】キーケース２に、所定の進退ストロークで長手方向の進退を可能に紐３を貫通して組み付け、紐３の一端部に設けた第１牽引部４の鍵収容方向への牽引により鍵７Ａ，７Ｂをキーケース２に収容し、紐３の他端部に設けた第２牽引部５の鍵露出方向への牽引により鍵７Ａ，７Ｂがキーケース２から露出するように構成する。そして、第１牽引部４には伸縮自在な紐１１を介してフック型の取付手段８Ａを連結し、キーケース２の背面に抱持型の取付手段８Ｂを取付け、各取付手段８Ａ，８Ｂを同時にまたは個別に利用して被取付体にキーホルダー１を取付ける。【選択図】図２
0003142374.tif 000002
【実用新案登録請求の範囲】
【請求項１】
キーケースと、
所定の進退ストロークで長手方向の進退を可能にキーケースを貫通して設けた紐とを有し、
この紐の長手方向一端部に設けた第１牽引部の鍵収容方向への牽引により該紐の長手方向他端部に設けた第２牽引部を前記キーケースの他端開口部から露出させ、かつ、長手方向両端部の間で紐に取付けた鍵取付部材および該鍵取付部材に取付けた鍵がキーケースに収容され、
前記第２牽引部の鍵露出方向への牽引により前記第１牽引部をキーケースの一端開口部から露出させ、かつ、前記鍵がキーケースから露出するように構成されているとともに、
前記第１牽引部とキーケース外面の少なくとも一方に被取付体への着脱が可能な取付手段を設けてなることを特徴とするキーホルダー。
【請求項２】
請求項１に記載のキーホルダーにおいて、
前記第１牽引部と該第１牽引部が干渉するキーケースの一端開口部とで紐の鍵露出方向へのストロークを規制する第１規制部が構成されているとともに、紐に形成した鍵取付部材の取付部と該取付部が干渉する前記一端開口部とで紐の鍵収容方向へのストロークを規制する第２規制部が構成されていることを特徴とするキーホルダー。
【請求項３】
請求項１または請求項２に記載のキーホルダーにおいて、
伸縮自在な紐の先端部にフック型の前記取付手段が連結され、前記伸縮自在な紐の基端部に環状の前記第１牽引部が連結されていることを特徴とするキーホルダー。
【請求項４】
請求項１，請求項２または請求項３に記載のキーホルダーにおいて、
キーケースの背面に被取付体を着脱自在に抱持する一対の抱持片と、各抱持片の互いに重なり合う対向面に設けられた着脱手段とを備えた抱持型の前記取付手段が取付けられていることを特徴とするキーホルダー。
【請求項５】
請求項１または請求項２に記載のキーホルダーにおいて、
前記鍵取付部材に種類の異なる複数の鍵が取付けられていることを特徴とするキーホルダー。
【請求項６】
請求項５に記載のキーホルダーにおいて、
複数の鍵取付部材を有し、そのうちの少なくとも１つの鍵取付部材は、紐体に止着した固定部と、鍵を取付けて前記固定部に着脱可能に結合される可動部とを備えて分離可能に構成されていることを特徴とするキーホルダー。
【請求項７】
請求項１または請求項２に記載のキーホルダーにおいて、
前記第１牽引部の鍵収容方向への牽引により鍵がキーケースに収容されるのに同期して、キーケースの前記一端開口部に近接して露出する収容状態表示マークが前記紐体に設けられていることを特徴とするキーホルダー。
【請求項８】
請求項１に記載のキーホルダーにおいて、
前記キーケースがキャラクターグッズからなることを特徴とするキーホルダー。
【考案の詳細な説明】
【技術分野】
【０００１】
本考案は、キーホルダーに係り、詳しくは、使用者の安全を確保できるキーホルダーに関するものである。
【背景技術】
【０００２】
主として鍵の紛失防止のために鍵を着衣などに保持するキーホルダーの一例として、たとえば先行文献１に記載のものが提供されている。
【０００３】
前記先行文献１に記載のキーホルダーは、図８，図９に示すように、コイル状部分５０を備えた伸縮可能な紐５１の一端に、該紐５１の伸長に伴う引張り力によって通電される点灯部材５２や、図示していない鍵の透孔や携帯電話などの通信機器のストラップを利用してこれらを着脱自在に取付けるリング部材５３を備えたキャラクター部材５４を取付け、前記紐５１の他端に衣服などに対する取付け部材５５を備えている。
【０００４】
前記構成のキーホルダーによれば、鍵の透孔にリング部材５３を挿通してキーホルダーに鍵を接続するとともに、取付け部材５５を利用してたとえばズボンのベルト通しにキーホルダーを取付けることで、鍵はキーホルダーを介して着衣に保持されるので紛失が防止される。また、キャラクター部材５４の発光・点滅によって使用者の趣味性を満足させることもできる。
【０００５】
【特許文献１】実用新案登録第３０６５１７３号公報
【考案の開示】
【考案が解決しようとする課題】
【０００６】
ところが、前記先行文献１に記載のキーホルダーは、鍵が露出した状態で接続される。たとえば、児童の登下校時や学習塾への往復に際して、自宅玄関のドアーの施錠や解錠に使用する鍵が露出したままで保持されることは、その鍵によって当該児童の自宅玄関のドアーの解錠が可能であることを第三者に知らせることになるのできわめて危険度が高い。このような、第三者が鍵を目視することによって生じる危険度は、取付け部材５５をランドセルの適所に取付け、リング部材５３に接続されている鍵をランドセルの内部に収容して隠蔽した状態で登下校あるいは学習塾を往復することによって回避することができる。
【０００７】
ところが、登校時や通塾時の自宅玄関のドアーの施錠および帰宅時の解錠には、ランドセルの内部から鍵を出し入れする児童にとって煩雑な動作が要求されるので使用性が悪い。そのため、施錠・解錠動作が緩慢になる。施錠・解錠動作が緩慢になると施錠・解錠時に第三者の介入を許すことになって危険度が高くなる。
【０００８】
本考案は、このような問題を解決するものであって、その目的とするところは、第三者による鍵の目視を避けることで使用者の安全を確保するとともに、使用性を向上させて迅速な施錠・解錠動作を可能にすることによって、使用者の安全を確保できるキーホルダーを提供することにある。
【課題を解決するための手段】
【０００９】
前記目的を達成するために、本考案に係るキーホルダーは、キーケースと、所定の進退ストロークで長手方向の進退を可能にキーケースを貫通して設けた紐とを有し、この紐の長手方向一端部に設けた第１牽引部の鍵収容方向への牽引により該紐の長手方向他端部に設けた第２牽引部を前記キーケースの他端開口部から露出させ、かつ、長手方向両端部の間で紐に取付けた鍵取付部材および該鍵取付部材に取付けた鍵がキーケースに収容され、前記第２牽引部の鍵露出方向への牽引により前記第１牽引部をキーケースの一端開口部から露出させ、かつ、前記鍵がキーケースから露出するように構成されているとともに、前記第１牽引部とキーケース外面の少なくとも一方に被取付体への着脱が可能な取付手段を設けてなることを特徴としている。
【００１０】
これによれば、紐の長手方向一端部に設けた第１牽引部を鍵収容方向へ牽引することで鍵がキーケースに収容され、第１牽引部とキーケース外面の少なくとも一方に設けられている取付手段をズボンのベルト通しまたはランドセル適所の被取付体に取付けることで、鍵を隠蔽した状態で登下校あるいは学習塾を往復できるので第三者による鍵の目視が回避される。そのため、使用者（児童）の安全が確保される。
【００１１】
また、鍵がキーケースに収容されていても、キーケースから露出している第２牽引部を鍵露出方向へ牽引する簡単な動作と、鍵がキーケースから露出している状態でキーケースから露出している第１牽引部を鍵収容方向へ牽引する簡単な動作とによって鍵を出し入れできるので使用性が向上する。そのため、使用者（児童）の登校時や通塾時の自宅玄関のドアーの施錠および帰宅時の解錠を迅速に行うことができる。これによって、施錠・解錠時における第三者の介入を回避できるの使用者（児童）の安全が確保される。
【００１２】
本考案に係るキーホルダーは、前記第１牽引部と該第１牽引部が干渉するキーケースの一端開口部とで紐の鍵露出方向へのストロークを規制する第１規制部が構成されているとともに、紐に形成した鍵取付部材の取付部と該取付部が干渉する前記一端開口部とで紐の鍵収容方向へのストロークを規制する第２規制部が構成されていることを特徴としている。これによると、第１規制部によって鍵露出方向へのストロークが規制された手応えを感じた時点で、紐の鍵露出方向への牽引を解くことで鍵がキーケースから露出し、第２規制部によって鍵収容方向へのストロークが規制された手応えを感じた時点で、紐の鍵収容方向への牽引を解くことで鍵がキーケースに収容されるので、紐の無駄な牽引が回避されて使用性が向上するとともに、紐の鍵露出方向へ牽引ストロークおよび紐の鍵収容方向への牽引ストロークを鍵の出し入れに必要な最小値に設定して、紐の長手方向寸法を短縮することによりキーホルダーのコンパクトを図れる。
【００１３】
本考案に係るキーホルダーは、伸縮自在な紐の先端部にフック型の前記取付手段が連結され、前記伸縮自在な紐の基端部に環状の前記第１牽引部が連結されていることを特徴としている。これによると、伸縮自在な紐の伸び量に相当して鍵による施錠・解錠のための動作範囲が拡大されるので、使用性を一層向上させることができる。
【００１４】
本考案に係るキーホルダーは、キーケースの背面に被取付体を着脱自在に抱持する一対の抱持片と、各抱持片の互いに重なり合う対向面に設けられた着脱手段とを備えた抱持型の前記取付手段が取付けられていることを特徴としている。これによると、鍵を収容した状態のキーケースを、抱持型の取付手段を介してたとえばランドセルの肩掛けベルト（被取付体）に着脱自在に抱持させることができる。これにより、使用者（児童）歩行時におけるキーホルダーの揺動を防止して、他の箇所への接触や衝突によるキーケースの損傷を回避し、キーホルダーの延命を達成することができる。
【００１５】
本考案に係るキーホルダーは、前記鍵取付部材に種類の異なる複数の鍵が取付けられていることを特徴としている。これによると、種類が異なる鍵、たとえば、自宅玄関のドアー施錠・解錠用の鍵と自転車の施錠・解錠用の鍵を使用することができる。
【００１６】
本考案に係るキーホルダーは、複数の鍵取付部材を有し、そのうちの少なくとも１つの鍵取付部材は、紐体に止着した固定部と、鍵を取付けて前記固定部に着脱可能に結合される可動部とを備えて分離可能に構成されていることを特徴としている。これによると、分離可能に構成した鍵取付部材の可動部にたとえば自転車の施錠・解錠用の鍵（自転車用の鍵）を取付けることで、自転車の乗車時には、自転車用の鍵を可動部とともに鍵取付部材の固定部から分離させて解錠に供し、自転車の駐輪時には、施錠した自転車用の鍵を、可動部を介して固定部に結合してキーホルダーに取付けることができるので、自転車用の鍵の紛失を防止できる。
【００１７】
本考案に係るキーホルダーは、前記第１牽引部の鍵収容方向への牽引により鍵がキーケースに収容されるのに同期して、キーケースの前記一端開口部に近接して露出する収容状態表示マークが前記紐体に設けられていることを特徴としている。これによれば、収容状態表示マークを目視した時点で鍵がキーケースに収容されていることを確認できる。したがって、鍵収容時における紐の無駄な牽引を回避して、鍵を正確にキーケースに収容することができる。
【００１８】
本考案に係るキーホルダーは、前記キーケースがキャラクターグッズからなることを特徴としている。これによれば、好みの動物のキャラクターグッズからなるキーケースを選択できるので、使用者の趣味性の満足度を高めることができる。
【考案の効果】
【００１９】
本考案によれば、第三者による鍵の目視を避けることで使用者（児童）の安全を確保できるとともに、使用性を向上させて迅速な施錠・解錠動作を可能にすることによっても、使用者の安全を確保することができる。
【考案を実施するための最良の形態】
【００２０】
以下、本考案の好ましい実施形態を図面に基づいて説明する。
図１は本考案の一実施形態における鍵の収容状態を示す正面図、図２は図１のＩＩ−ＩＩ線に沿う断面図、図３図１の背面図である。
【００２１】
図１〜図３において、キーホルダー１は、キーケース２、紐３、第１牽引部４、第２牽引部５、鍵取付部材６、鍵取付部材６に取付けた鍵７、キーホルダー１を後述する被取付部に着脱可能に取付ける取付手段８、紐３の鍵露出方向へのストロークを規制する第１規制部９、紐３の鍵収容方向へのストロークを規制する第２規制部１０、伸縮自在な紐１１および鍵７がキーケース２に収容された状態を表示する収容状態表示マーク１２などを備えている。
【００２２】
キーケース２は、猿のキャラクターグッズからなり、その頭部２ａと胴部２ｂおよび一対の上肢２ｃを茶色の樹脂布地によって形成し、顔２ｄと一対の耳２ｅとを白色系の樹脂布地によって形成して下向き開口の袋状に構成されている。そして、頭部２ａの上端部にはスリット状の一端開口部２Ａが形成され、胴部２ｂの下端はこれを開放して他端開口部２Ｂとしており、顔２ｄの内側には発泡樹脂製の芯材２ｆを封入することで顔２ｄに立体感をもたせている。なお、一対の目２ｇは黒色系の樹脂玉からなり、顔２ｄ表面の所定位置に適宜取付けられる。
【００２３】
紐３は、樹脂製の糸を帯状に編組した組紐からなり、キーケース２の一端開口部２Ａと他端開口部２Ｂを貫通して、キーケース２に対して後述する進退ストロークで長手方向の進退を可能に組み付けられており、その上端部（一端部）には、環状に曲成した金属線からなる第１牽引部４が取付けられ、下端部（他端部）には、樹脂布地によって猿の足を模した第２牽引部５が取付けられている。
【００２４】
第１牽引部４の外径ｄ（図１参照）は、スリット状の一端開口部２Ａの長さｌ（図１参照）よりも大きく設定されている。これにより、第１牽引部４と該第１牽引部４が干渉するキーケース２の一端開口部２Ａとで紐３の鍵露出方向（矢印Ｆ２参照）へのストロークを規制する第１規制部９（図７参照）が構成される。
【００２５】
図４に示すように、紐３の長手方向の略中間部を前方へ折り曲げ突出させて、鍵取付部材６の取付けに利用される鍵取付部材の取付部１３を形成し、その突出根元部をたとえば赤糸で縫着することによって、図１，図２のように、鍵７がキーケース２に収容された状態を表示して目視させる収容状態表示マーク１２が構成されるとともに、図４に示す鍵取付部材の取付部１３の厚さｔが図２に示すスリット状の一端開口部２Ａの内法（図２における左右方向の寸法）よりも大きく設定されることで、鍵取付部材の取付部１３と該取付部１３が干渉するキーケース２の一端開口部２Ａとで紐３の鍵収容方向（矢印Ｆ１参照）へのストロークを規制する第２規制部１０（図２参照）が構成される。
【００２６】
図１〜図３において、伸縮自在な紐１１は、コイル状を呈するＥＶＡ樹脂からなり、その先端部には後述する被取付体に着脱自在に取付けられる金属製でフック型の取付手段８Ａが連結され、伸縮自在な紐１１の基端部は第１牽引部４に連結されている。
【００２７】
図３および図５に示すように、キーケース２の背面には、後述する被取付体を着脱自在に抱持する抱持型の取付手段８Ｂが取付けられる。抱持型の取付手段８Ｂは、茶色の樹脂布地によって形成され、長手方向中央部およびその近傍を含む基部８０が縫着によってキーケース２の背面に取付けられ、基部８０から長手方向の両側にのびる一対の抱持片８１を有し、各抱持片８１の互いに重なり合う対向面に面ファスナーからなる着脱手段８２を備えている。
【００２８】
図２において、紐３に形成した鍵取付部材の取付部１３には、第１の鍵取付部材６Ａと第２の鍵取付部材６Ｂが取付けられる。第１の鍵取付部材６Ａは環状に曲成した金属線からなり、この第１の鍵取付部材６Ａには鍵７における自宅玄関のドアー施錠・解錠用の鍵７Ａが取付けられる。第２の鍵取付部材６Ｂは合成樹脂によって成形された周知のもので、図６に分解して示すように、紐３に形成した鍵取付部材の取付部１３に止着される固定部６０と、この固定部６０に挿入することで該固定部６０に着脱可能に係合される左右一対の係合爪片６１などを設けて、固定部６０に着脱可能に結合される可動部６２とを備え、可動部６２にはリング６ａを介して鍵７における自転車の施錠・解錠用の鍵７Ｂが取付られる。
【００２９】
前記構成のキーホルダー１によれば、図１〜図３に示すように、鍵７Ａ，７Ｂをキーケース２に収容して隠蔽した状態で、フック型の取付手段８Ａをズボンのベルト通しまたはランドセルの適所などの被取付体に取付けることによって、第三者による鍵７Ａ，７Ｂの目視を回避して登下校あるいは学習塾を往復できるので、使用者（児童）の安全を確保することができる。キーケース２への鍵７Ａ，７Ｂの収容は、図７に示すように、キーケース２から鍵７Ａ，７Ｂが露出している状態において、第１牽引部４を鍵収容方向（矢印Ｆ１）へ牽引することによって得られる。また、キーケース２からの鍵７Ａ，７Ｂの露出は、図１〜図３に示す鍵７Ａ，７Ｂの収容状態において、第２牽引部５を鍵露出方向（矢印Ｆ２）へ牽引することによって得られる。このように、キーケース２から鍵７Ａ，７Ｂを露出させることで、鍵７Ａを登校時や通塾時の自宅玄関のドアーの施錠および帰宅時の解錠に使用することができる。
【００３０】
図２に示すように、第２規制部１０により紐３の鍵収容方向（矢印Ｆ１）へのストロークが規制されることで、図１〜図３に示すように、鍵７Ａ，７Ｂをキーケース２に収容して隠蔽した状態で第２牽引部５がキーケース２の下側に露出するので、第２牽引部５を鍵露出方向（矢印Ｆ２）に牽引して、鍵７Ａ，７Ｂをキーケース２から露出させて使用に供し得る状態に変換する動作が簡単であるとともに、図７に示す第１規制部９により紐３の鍵露出方向（矢印Ｆ２）へのストロークが規制されることで、鍵７Ａ，７Ｂをキーケース２から露出させた状態で第１牽引部４がキーケース２の上側に露出する。そのため、第１牽引部４を鍵収容方向（矢印Ｆ１）に牽引して、鍵７Ａ，７Ｂをキーケース２に収容して隠蔽する状態に変換する動作が簡単である。つまり、常時キーケース２から露出している第１牽引部４あるいは第２牽引部５を牽引する簡単な動作によって鍵７Ａ，７Ｂを出し入れできるので使用性が向上する。そのため、使用者（児童）の登校時や通塾時の自宅玄関のドアーの施錠および帰宅時の解錠を迅速に行うことができる。これによって、施錠・解錠時における第三者の介入を回避できるの使用者（児童）の安全が確保される。
【００３１】
前記第１規制部９によって、鍵露出方向（矢印Ｆ２）へのストロークが規制された手応えを感じた時点で、第２牽引部５による紐３の鍵露出方向（矢印Ｆ２）への牽引を解くことで鍵７Ａ，７Ｂがキーケース２から露出し、第２規制部１０によって、鍵収容方向（矢印Ｆ１）へのストロークが規制された手応えを感じた時点で、第１牽引部４による紐３の鍵収容方向（矢印Ｆ１）への牽引を解くことで鍵７Ａ，７Ｂがキーケース２に収容されるので、紐３の無駄な牽引が回避されて使用性が向上するとともに、紐３の鍵露出方向（矢印Ｆ２）へ牽引ストロークおよび紐の鍵収容方向（矢印Ｆ１）への牽引ストロークを鍵７Ａ，７Ｂの出し入れに必要な最小値に設定して、紐３の長手方向寸法を短縮することによりキーホルダー１のコンパクトを図れる。
【００３２】
伸縮自在なコイル状の紐１１の先端部には、取付手段８におけるフック型の取付手段８Ａが連結され、伸縮自在なコイル状の紐１１の基端部に第１牽引部４が連結されているので、伸縮自在なコイル状の紐１１の伸び量に相当して鍵７Ａによる施錠・解錠のための動作範囲が拡大されるので、使用性を一層向上させることができる。
【００３３】
一方、キーケース２に鍵７Ａ，７Ｂを収容した状態で、その背面に取付けられている抱持型の取付手段８Ｂを介して、キーケース２をたとえばランドセル（図示省略）の肩掛けベルト（被取付体）に抱持させることにより、使用者（児童）歩行時におけるキーホルダー１の揺動を防止し、他の箇所への接触や衝突によるキーケース２の損傷を回避して、キーホルダー１の延命を達成することができる。
【００３４】
また、鍵取付部材６における分離可能に構成した第２の鍵取付部材６Ｂの可動部６２に自転車の施錠・解錠用の鍵（自転車用の鍵）７Ｂを取付けることで、自転車の使用時には、自転車用の鍵７Ｂを可動部６２とともに固定部６０からワンタッチ操作により分離させて解錠に供することができ、自転車の駐輪時には、施錠した自転車用の鍵７Ｂを、可動部６２を介してワンタッチ操作により固定部６０に結合してキーホルダー１に取付けることができるので、自転車用の鍵７Ｂの紛失を防止できる。
【００３５】
他方、第１牽引部４の鍵収容方向（矢印Ｆ１）への牽引により鍵７Ａ，７Ｂがキーケース２に収容されるのに同期して、キーケース２の一端開口部２Ａに近接して収容状態表示マーク１２が露出するので、これを目視した時点で鍵７Ａ，７Ｂがキーケース２に収容されていることを確認できる。したがって、鍵７Ａ，７Ｂ収容時における紐３の無駄な牽引を回避して、鍵７Ａ，７Ｂを正確にキーケース２に収容することができる。
【００３６】
本考案によれば、前記実施形態で説明した猿のキャラクターグッズからなるキーケース２の他に、動物、たとえば犬，兎、ライオン、鳥などのキャラクターグッズや、人気アニメや漫画などのキャラクターグッズからなるキーケース２を用意しておき、それらの中から好みのキーケース２を選択して使用すれば、使用者（児童）の趣味性の満足度をより一層高めることができる。前記動物や鳥のキャラクターグッズからなるキーケース２に変えて、動物や鳥以外のキャラクターグッズからなるキーケース２を使用してもよい。
【図面の簡単な説明】
【００３７】
【図１】本考案の一実施形態における鍵の収容状態を示す正面図である。
【図２】図１のＩＩ−ＩＩ線に沿う断面図である。
【図３】図１の背面図である。
【図４】鍵取付部材の取付部の一実施形態を示す拡大斜視図である。
【図５】図３のＶ−Ｖ線矢視図である。
【図６】鍵取付部材における第２の鍵取付部材の一実施形態を分離・拡大して示す正面図である。
【図７】本考案の一実施形態における鍵の露出状態を示す断面図である。
【図８】従来例の正面図である。
【図９】従来例のキャラクターグッズの内部を示す断面図である。
【符号の説明】
【００３８】
１  キーホルダー
２  キーケース
２Ａ  一端開口部
２Ｂ  他端開口部
３  紐
４  第１牽引部
５  第２牽引部
６  鍵取付部材
６Ａ  第１の鍵取付部材
６Ｂ  第２の鍵取付部材
６０  第２の鍵取付部材の固定部
６２  第２の鍵取付部材の可動部
７  鍵
７Ａ  玄関の鍵
７Ｂ  自転車の鍵
８  取付手段
８Ａ  フック型の取付手段
８  抱持型の取付手段
９  第１規制部
１０  第２規制部
１１  伸縮自在な紐
１２  収容状態表示マーク
１３  鍵取付部材の取付部
Ｆ１  鍵収容方向
Ｆ２  鍵露出方向
【図１】
0003142374.tif 000003
【図２】
0003142374.tif 000004
【図３】
0003142374.tif 000005
【図４】
0003142374.tif 000006
【図５】
0003142374.tif 000007
【図６】
0003142374.tif 000008
【図７】
0003142374.tif 000009
【図８】
0003142374.tif 000010
【図９】
0003142374.tif 000011